(57)【要約】【課題】ロール品格納箱において、ロール品を簡易に装填でき、かつロール品のシートをスムースに引き出し可能にすること。【解決手段】ロール品格納箱１０であって、シート１を巻いたロール品２を格納するとともに、ロール品２の一端シート１を引き出す取出口３１を備え、該シート１の引き出し方向に沿う前後２位置に前ローラー２１と後ローラー２２を設け、両ローラー２１、２２の上にロール品２を載置可能にするもの。【選択図】  図１
2004306964.tif 000002
【特許請求の範囲】
【請求項１】
シートを巻いたロール品を格納するとともに、ロール品の一端シートを引き出す取出口を備え、該シートの引き出し方向に沿う前後２位置に前ローラーと後ローラーを設け、両ローラーの上にロール品を載置可能にするロール品格納箱。
【請求項２】
前記取出口から引き出されたシートを保持するシート戻り防止部を該取出口に設けた請求項１に記載のロール品格納箱。
【請求項３】
前記前後のローラーの相互間で、引き出し方向の進み側に位置する前ローラーをより高位に設定した請求項１又は２に記載のロール品格納箱。
【請求項４】
複数の前記ロール品を格納可能にし、相隣るロール品の格納領域の間に仕切板を設けた請求項１〜３のいずれかに記載のロール品格納箱。
【発明の詳細な説明】
【０００１】
【発明の属する技術分野】
本発明は滅菌バッグ等のシート状製品を連続化した長尺シートを巻いたロール品等のための格納箱に関する。
【０００２】
【従来の技術】
ロール品格納箱として、特許文献１に記載の如く、ロール品の巻軸の両端を格納箱の両側板に回転自在に軸支した支持部材に支持させるものがある。
【０００３】
他のロール品格納箱として、特許文献２に記載の如く、ロール品を格納箱の受底板に載置させるものがある。
【０００４】
【特許文献１】
特開昭６２−２３０４０（３頁、第１図）
【０００５】
【特許文献２】
実開昭５５−１６６３（３頁、第３図）
【０００６】
【発明が解決しようとする課題】
特許文献１のロール品格納箱では、ロール品の巻軸を格納箱の両側板に設けてある支持部材に嵌着させる必要があり、１つの格納箱を多くのロール品のために繰り返し使用しようとするときに困難がある。
【０００７】
特許文献２のロール品格納箱では、ロール品のシートを引き出すときに、シートが受底板をこする如くになり、シートをスムースに引き出すことに困難がある。
【０００８】
本発明の課題は、ロール品格納箱において、ロール品を簡易に装填でき、かつロール品のシートをスムースに引き出し可能にすることある。
【０００９】
【課題を解決するための手段】
請求項１の発明は、シートを巻いたロール品を格納するとともに、ロール品の一端シートを引き出す取出口を備え、該シートの引き出し方向に沿う前後２位置に前ローラーと後ローラーを設け、両ローラーの上にロール品を載置可能にするようにしたロール品格納箱である。
【００１０】
【発明の実施の形態】
ロール品格納箱１０は、図１〜図３に示す如く、シート状製品である滅菌バッグを連続化した長尺シート１を巻いたロール品２を格納するとともに、ロール品２の一端シート１を引き出して１枚の滅菌バッグ分を切断して取り出すことを繰り返すように用いられる。
ロール品格納箱１０は、透明の塩ビ板等からなる、底板１１、天板１２、両側板１３、１４、背面板１５により、正面開口部１６を備えた箱体１０Ａを構成し、一方の側板１３に蝶番１７を介してヒンジ結合した蓋１８により開口部１６を開閉する。蓋１８は開閉操作用の指挿入孔１８Ａを備える。側板１４の前縁側外面にはマジックテープ（登録商標）からなる閉止片１９Ａが固定され、蓋１８の自由端の外面にはマジックテープ（登録商標）からなる係着片１９Ｂが固定され、閉止片１９Ａを閉じ状態の蓋１８の係着片１９Ｂに着脱することにより、蓋１８の閉じ状態を解除又は維持できる。
【００１１】
ロール品格納箱１０は、箱体１０Ａの内部における両側板１３、１４の下端側で、シート１の引き出し方向に沿う前後２位置（開口部１６の側が前）に、２本の互いに平行をなす前ローラー２１と後ローラー２２を設け、両ローラー２１、２２の上にロール品２を載置可能にする。前ローラー２１（後ローラー２２も同じ）は、図４に示す如く、複数の塩ビ管等からなるローラー体２１Ａ（２２Ａ）を支軸２３に回転自在に挿通し、支軸２３の両端部を側板１３、１４のそれぞれに設けた軸孔に嵌合し、側板１４の外側から支軸２３の一端に螺入される止ねじ２４により該支軸２３を固定化する。
【００１２】
ロール品格納箱１０は、前後のローラー２１、２２の相互間で、両ローラー２１、２２の上に載置したロール品２のシート１を引き出す方向の進み側に位置する前ローラー２１を、底板１１に対して後ローラー２２より高位に設定している。
【００１３】
ロール品格納箱１０は、開口部１６を閉じた蓋１８の上縁部と天板１２の下縁部との間に、ロール品２の一端シート１を引き出す上取出口３１を備える。両ローラー２１、２２の上に載置したロール品２の一端シート１は、ロール品２の上部外周からくり出されて上取出口３１経由で外部に引き出しできる（図３）。
【００１４】
ロール品格納箱１０は、上取出口３１から引き出されたシート１を保持するシート戻り防止部３２を上取出口３１に設けてある。シート戻り防止部３２は、塩ビシート又はゴムシートからなり、開口部１６を閉じた蓋１８の上縁部に隙間なく沿う帯状をなし、図５に示す如く、天板１２の前縁部及び天板１２の下縁部に固定的に設けた取付桟３３に止ねじ３４により取付けられる。上取出口３１から引き出されるシート１は、シート戻り防止部３２により蓋１８の上縁部に挟み付けられて保持される。シート１は、シート戻り防止部３２の挟み付けに基づく保持力に抗する引き出し力の付加により引き出し可能とされるし、引き出し力が付加されない状態ではシート戻り防止部３２の保持力によって箱内への引戻しを阻止される。
【００１５】
尚、ロール品格納箱１０は、開口部１６を閉じた状態の蓋１８の自由端の下縁部を載せる蓋支持部１４Ａを側板１４の前縁下部に備え、蓋１８の自由端側がその自重で傾くことを回避し、シート戻り防止部３２を蓋１８の上縁部に沿う全長に渡り隙間なく延在させる。
【００１６】
ロール品格納箱１０は、開口部１６を閉じた蓋１８の下縁部と底板１１の上縁部との間に、ロール品２の一端シート１を引き出す下取出口４１を備える。両ローラー２１、２２の上に載置したロール品２の一端シート１は、ロール品２の下部外周から前ローラー２１の上側面を介してくり出され、下取出口４１経由で外部に引き出しできる（図３）。シート１は、引き出し力が付加されないとき、ロール品２と前ローラー２１の上端面との間に挟まれていて箱内への引戻しを阻止される。
【００１７】
ロール品格納箱１０は、品種の異なる複数のロール品２Ａ、２Ｂを同一のローラー２１、２２の上に載置して格納可能にし、相隣るロール品２Ａ、２Ｂの格納領域の間に仕切板５１を設ける。仕切板５１は、図６に示す如く、板状体をなし、２本の突状ピン５２を下端面から突出するとともに、１本の突状ピン５３を上端面から突出し、両突状ピン５２を底板１１の前後２位置に設けた２個の孔５４に、突状ピン５３を天板１２に設けた１個の孔５５に係脱される。突状ピン５２の突出長ａより、仕切板５１の上端面が天板１２との間に形成する隙間ｂを大きくし、突状ピン５３の全長を孔５５に挿入した状態で、突状ピン５２を孔５４に係脱し、結果として仕切板５１を格納箱１０に対し着脱自在にセット可能にする。ロール品格納箱１０は、両ローラー２１、２２の長手方向に沿う複数位置に、複数組の孔５４と孔５５を離隔配置し、仕切板５１の突状ピン５２と突状ピン５３を各組の孔５４と孔５５に選択的に係入し、仕切板５１がロール品格納箱１０の内部に形成するロール品２のための格納領域の幅を変更可能にする。
【００１８】
尚、ロール品格納箱１０は天板１２と両側板１３、１４を１枚の塩ビ板の曲げ加工により形成しており、天板１２と両側板１３、１４との交差部を図７に示す如くの丸味状曲げ加工部６１とし、ロール品格納箱１０の強度向上を図っている。
【００１９】
また、ロール品格納箱１０は相交差する板のコーナー部、例えば両側板１３、１４と背面板１５との交差部のコーナー部に図８に示す如くの三角柱状補強桟６２を接合し、ロール品格納箱１０の強度向上を図っている。
【００２０】
尚、ローラー体２１Ａ（２２Ａ）の長さは、複数のロール品２Ａ、２Ｂ等の最小幅品種の幅と略同じ、若しくは短くすることが好ましい。これによれば、１つのロール品２Ａのシート１の引き出し時に、当該ロール品２Ａの回転に連れ回るローラー体２１Ａ（２２Ａ）の回転により、隣りのロール品２Ｂが連れ回りすることがなく、隣りのロール品２Ｂのシート１が収納箱１０内で繰り出されてしまうことがないから、ロール品２Ａ、２Ｂを外観的に整然に保ちながら所望のロール品２Ａだけを安定的に取出すことができる。
【００２１】
また、ロール品格納箱１０は底板１１の下面の４隅に滑り止めゴム板６３を貼着し、テーブル等の上に滑りなく据付け可能にする。
【００２２】
従って、ロール品格納箱１０は以下の如くに使用される。
（１）ロール品格納箱１０に格納される予定のロール品２Ａ、２Ｂの幅サイズに応じ、仕切板５１をセットする。
【００２３】
（２）ロール品２Ａ、２Ｂのそれぞれをロール品格納箱１０の開口部１６から箱内の仕切板５１によって区画された格納領域のそれぞれに入れ、前ローラー２１と後ローラー２２の上に載置する。ロール品２Ａ、２Ｂの一端シート１をロール品格納箱１０の上取出口３１（又は下取出口４１）から箱外に引き出すようにして、蓋１８により開口部１６を閉じる。蓋１８は自由端の下縁部を蓋支持部１４Ａの上に載せ、上取出口３１から引き出されたロール品２Ａ、２Ｂのシート１を、シート戻り防止部３２により蓋１８の上縁部に対し挟み付け保持可能にする。
【００２４】
（３）ロール品格納箱１０の上取出口３１（又は下取出口４１）から引き出されているロール品２Ａ（又は２Ｂ）のシート１を更に引き出し、必要長さのシート１をハサミ等で切断して取出す。ロール品２Ａ（又は２Ｂ）の側に残存するシート１の切断端は箱外に位置付けられて次回の引き出しに備える。
【００２５】
本実施形態によれば以下の作用効果を奏する。
（請求項１に対応する作用効果）
▲１▼ロール品２を前ローラー２１と後ローラー２２の上に載置することにより格納するものであり、ロール品２を簡易に装填できる。ロール品２は前ローラー２１と後ローラー２２の上に載置されているため、シート１の引き出しによってロール品２が前ローラー２１と後ローラー２２の上で回転するとき、前ローラー２１と後ローラー２２がロール品２の回転に連れ回り、シート１を抵抗なくスムースに引き出しできる。
【００２６】
（請求項２に対応する作用効果）
▲２▼シート１の一端を上取出口３１から引き出して切断したとき、ロール品２の側に残存するシート１が格納箱１０の内部でたるむと、該シート１の切断端はそのたるみの影響で箱内に戻ってしまい、次回のシート１の引き出しに際し、蓋１８を開け、該シート１の切断端を上取出口３１に挿通して箱外に導き出す余分な作業が必要になる。本実施形態では、上取出口３１にシート戻り防止部３２を設けたから、シート１の切断端が箱内に戻ることがなく、次回のシート１の引き出しを直ちに実施できる。
【００２７】
（請求項３に対応する作用効果）
▲３▼前ローラー２１を後ローラー２２より高位に設定した。従って、シート１に加える引き出し力が、ロール品２に及び、ロール品２を引き出し方向の進み側に引張り出す方向に作用するものの、高位に設定されている前ローラー２１がロール品２の引張り出しを阻止する。
【００２８】
（請求項４に対応する作用効果）
▲４▼格納箱１０の内部で相隣るロール品２Ａ、２Ｂの格納領域の間に仕切板５１を設けた。従って、１つのロール品２Ａのシート１の引き出しにより、当該ロール品２Ａが回転するとき、このロール品２Ａの回転が隣りのロール品２Ｂを連れ回りさせることがなく、各ロール品２Ａ、２Ｂのシート１をそれぞれ安定的に引き出しできる。
【００２９】
【発明の効果】
本発明によれば、ロール品格納箱において、ロール品を簡易に装填でき、かつロール品のシートをスムースに引き出しできる。
【図面の簡単な説明】
【図１】図１はロール品格納箱を示す斜視図である。
【図２】図２はロール品格納箱を示す一部破断の正面図である。
【図３】図３は図２のＩＩＩ−ＩＩＩ線に沿う断面図である。
【図４】図４はローラーの設置構造を示す模式図である。
【図５】図５はシート戻り防止部の設置構造を示す模式図である。
【図６】図６は仕切板の設置構造を示す模式図である。
【図７】図７は箱体の曲げ加工部を示す模式図である。
【図８】図８は箱体の補強部を示す模式図である。
【符号の説明】
１  シート
２、２Ａ、２Ｂ  ロール品
１０  ロール品格納箱
２１  前ローラー
２２  後ローラー
３１  上取出口
３２  シート戻り防止部
４１  下取出口
５１  仕切板
【図１】
2004306964.tif 000003
【図２】
2004306964.tif 000004
【図３】
2004306964.tif 000005
【図４】
2004306964.tif 000006
【図５】
2004306964.tif 000007
【図６】
2004306964.tif 000008
【図７】
2004306964.tif 000009
【図８】
2004306964.tif 000010